(57)【特許請求の範囲】
【請求項１】
精算機本体にカード挿入口と、料金投入口と、売上金が入金される徴収金庫と、釣銭支払い用の金銭を収めた釣銭金庫とを備えた自動料金精算機であって、
売上金の支払いによって上記徴収金庫に入金され、また、釣銭の支払いによって上記釣銭金庫から出金される度に、これ等入金と出金の金額を加減算し、且つ、各金庫が保有する収納金額情報をその都度更新してメモリに記憶する金庫収納金額記憶手段と、上記徴収金庫及び釣銭金庫が精算機本体から引抜かれると、引抜かれた徴収金庫又は釣銭金庫が保有する収納金額情報を上記のメモリから呼出して、当該収納金額情報を出力する釣銭情報出力手段とを備え、現在使用中の釣銭金庫を、予め所定金額が収納された別の釣銭金庫と金庫ごと交換して釣銭の補充ができるように構成して、上記別の釣銭金庫に収納する所定金額を予め設定した初期値の金額と成し、且つ、上記金庫の交換時に入力装置の初期値キーをオンすることにより、上記のメモリに記憶されている釣銭金庫の収納金額を上記初期値の金額に変更するように構成すると共に、
上記カード挿入口に差込まれたカードからカードリーダが釣銭補充用コードを読取ると、精算機の動作モードを釣銭補充用モードに変更して、上記料金投入口から補充用釣銭の投入を可能にする釣銭補充手段と、料金投入口から投入された補充用釣銭を各金種毎に識別及び計数して、各金種毎に設けた上記釣銭金庫に区分けして補充するコインセレクタと、これ等各釣銭が補充された釣銭金庫の収納金額を更新してメモリに記憶する補充釣銭更新手段とを備えて成ることを特徴とする自動料金精算機。
【請求項２】
前記の釣銭情報出力手段が、前記収納金額をプリントアウトするプリンタ、又は、収納金額を表示する表示器、或は、収納金額を通信手段によって外部機器に通信する外部通信装置のいずれかによって構成されていることを特徴とする請求項１記載の自動料金精算機。
【請求項３】
釣銭金庫への釣銭の補充を、入力装置による入力に基づいて任意金額の釣銭を釣銭金庫に対して直接補充できるように構成したことを特徴とする請求項１又は２記載の自動料金精算機。
【請求項４】
釣銭金庫への釣銭の補充に当って、係員のＩＤを入力することにより、釣銭補充情報と一緒に係員のＩＤをメモリに記憶せしめ、且つ、これ等釣銭補充情報と係員のＩＤをプリント又は表示、或は、通信手段による外部機器への通信のいずれかの手段によって出力するように構成したことを特徴とする請求項１又は３記載の自動料金精算機。
【請求項５】
入力装置のインベントリメニューを選択し、且つ、インベントリする金種とその枚数を入力することによって、釣銭金庫から入力した金種とその枚数を釣銭払い出し口を通して払い出すことができるように構成すると共に、この払い出した金種と枚数をその都度メモリに記憶し、且つ、これ等金種と枚数及び釣銭金庫の残高をプリント又は表示、或は、通信手段による外部機器への通信のいずれかの手段によって出力するように構成したことを特徴とする請求項１記載の自動料金精算機。
【請求項６】
前記徴収金庫、又は、釣銭金庫から現金を取り出すに当って、これ等取り出し情報と一緒に入力された係員のＩＤを記憶し、且つ、これ等取り出し情報と係員のＩＤをプリント又は表示、或は、通信手段による外部機器への通信のいずれかの手段によって出力するように構成したことを特徴とする請求項１又は５記載の自動料金精算機。
【請求項７】
前記自動料金精算機が、駐車場に車両を入庫する時に発行された駐車券から駐車料金を算出し、且つ、この駐車料金の精算に用いる駐車場用自動料金精算機であり、また、前記釣銭補充用コードを記録したカードの挿入口が、この精算機に設けた上記駐車券の挿入口であり、前記料金投入口が、上記駐車料金の投入口であることを特徴とする請求項１、２、３、４、５又は６記載の自動料金精算機。
【発明の詳細な説明】
【０００１】
【発明の属する技術分野】
本発明は、例えば有料駐車場やその他の有料施設、或は、各種の自動販売機等に使用して好適な自動料金精算機に関するものであって、具体的には、売上金や釣銭を集計管理する機能を備えた自動料金精算機に関するものである。
【０００２】
【従来の技術】
有料の駐車場や各種の施設、或は、各種の自動販売機等には、利用料金や購入料金を自動的に精算することができる自動料金精算機が設置又は付設されているが、これ等の自動料金精算機のうち、売上料金と釣銭をいずれも現金で徴収及び支払う精算機の場合は、現金の入出金額を厳格に集計管理する必要がある。
【０００３】
そこで従来は、例えば特開昭５８−１４２９１号公報に記載されている「金銭放出装置」のように、入出金額や保有金額の金種及び数量を出力できるようにしたり、或は、特開平２−９３７８２号公報に記載されている「売上回収指令機能付き精算機」のように、売上金を回収する時に、回収者のＩＤや金額等を入力して回収し、且つ、回収情報を印字出力できるようにすることによって、現金の入出金額の状況を集計管理していた。
【０００４】
【発明が解決しようとする課題】
ところが、上記前者の公報に記載されている「金銭放出装置」は、入力手段の入力操作によって入金額、出金額、保金額の金種や数量をメモリに記憶し、操作部からの信号に応じてこれ等入金額、出金額、保金額とそれらの金種、数量を出力するものであり、また、上記後者の公報に記載されている「売上回収指令機能付き精算機」は、現金の回収時に、キー操作によって回収する金種や数量を入力することによって、その回収情報を印字出力するものであって、いずれも入出金額等の情報を得るにはその都度係員等による入力作業が必要なため、操作が面倒且つ煩雑であり、また、入力ミスによる集計の間違いも多く発生していた。
【０００５】
従って本発明の技術的課題は、売上金の入金額や、釣銭の支払額とその補充金額等から成る入出金額情報を、係員等による入力作業を行うことなく、自動的に且つ正確に集計できるように工夫した自動料金精算機を提供することである。
【０００６】
【課題を解決するための手段】
（１）  そこで本発明に係る自動料金精算機は、上記の技術的課題を解決するために、請求項１に記載の如く、精算機本体にカード挿入口と、料金投入口と、売上金が入金される徴収金庫と、釣銭支払い用の金銭を収めた釣銭金庫とを備えた自動料金精算機であって、売上金の支払いによって上記徴収金庫に入金され、また、釣銭の支払いによって上記釣銭金庫から出金される度に、これ等入金と出金の金額を加減算し、且つ、各金庫が保有する収納金額情報をその都度更新してメモリに記憶する金庫収納金額記憶手段と、上記徴収金庫及び釣銭金庫が精算機本体から引抜かれると、引抜かれた徴収金庫又は釣銭金庫が保有する収納金額情報を上記のメモリから呼出して、当該収納金額情報を出力する釣銭情報出力手段とを備え、現在使用中の釣銭金庫を、予め所定金額が収納された別の釣銭金庫と金庫ごと交換して釣銭の補充ができるように構成して、上記別の釣銭金庫に収納する所定金額を予め設定した初期値の金額と成し、且つ、上記金庫の交換時に入力装置の初期値キーをオンすることにより、上記のメモリに記憶されている釣銭金庫の収納金額を上記初期値の金額に変更するように構成すると共に、上記カード挿入口に差込まれたカードからカードリーダが釣銭補充用コードを読取ると、精算機の動作モードを釣銭補充用モードに変更して、上記料金投入口から補充用釣銭の投入を可能にする釣銭補充手段と、料金投入口から投入された補充用釣銭を各金種毎に識別及び計数して、各金種毎に設けた上記釣銭金庫に区分けして補充するコインセレクタと、これ等各釣銭が補充された釣銭金庫の収納金額を更新してメモリに記憶する補充釣銭更新手段とを備えて成ることを特徴とするものであって、徴収金庫と釣銭金庫に対する現金の入出金の状態を、その都度入力操作することなく正確に把握・管理することを可能にする。
【０００７】
また、上記請求項１に記載の自動料金精算機によれば、釣銭の補充を金庫ごと交換して行うことができると共に、新たに交換する釣銭金庫の収納金額を予め定めた初期値の金額に定めておくことによって、釣銭金庫の交換時に初期値キーをオンするだけで、釣銭金庫の収納金額を初期値の金額に自動的に変更することを可能にする。
【０００８】
更に、上記請求項１に記載の自動料金精算機によれば、 釣銭補充用のカードを用いることによって、料金投入口を通して補充用の釣銭を金種別に各釣銭金庫に補充できると共に、補充された各釣銭金庫の収納金額をメモリに記憶できるため、入力操作を行うことなしに、釣銭金庫に保有されている釣銭の金額を正確に集計管理することを可能にする。
【０００９】
（２）  また、本発明では請求項２に記載の如く、前記の釣銭情報出力手段を、前記収納金額をプリントアウトするプリンタ、又は、収納金額を表示する表示器、或は、収納金額を通信手段によって外部機器に通信する外部通信装置のいずれかによって構成したので、自動料金精算機の入出金の状況を、これ等プリント、表示、又は、外部通信によって正確に確認することを可能にする。
【００１０】
（３）  また、本発明では請求項３に記載の如く、釣銭金庫への釣銭の補充を、入力装置による入力に基づいて任意金額の釣銭を釣銭金庫に対して直接補充できるように構成したので、釣銭を直接釣銭金庫に補充でき、また、補充された釣銭は入力装置による入力操作に従って行われるため、釣銭金庫の収納金額を自動的に更新することを可能にする。
【００１１】
（４）  また、本発明では請求項４に記載の如く、釣銭金庫への釣銭の補充に当って、係員のＩＤを入力することにより、釣銭補充情報と一緒に係員のＩＤをメモリに記憶せしめ、且つ、これ等釣銭補充情報と係員のＩＤをプリント又は表示、或は、通信手段による外部機器への通信のいずれかの手段によって出力するように構成したので、釣銭を補充した係員等を出力されたＩＤから確認して、釣銭補充の責任の所在を明らかにすることを可能にする。
【００１２】
（５）  また、本発明では請求項５に記載の如く、入力装置のインベントリメニューを選択し、且つ、インベントリする金種とその枚数を入力することによって、釣銭金庫から入力した金種とその枚数を釣銭払い出し口を通して払い出すことができるように構成すると共に、この払い出した金種と枚数をその都度メモリに記憶し、且つ、これ等金種と枚数及び釣銭金庫の残高をプリント又は表示、或は、通信手段による外部機器への通信のいずれかの手段によって出力するように構成したので、釣銭金庫に収納された釣銭を、釣銭払い出し口を通してイベントリ、即ち、払い出すことができ、また、払い出す釣銭の金種や枚数も自由に設定することができると共に、払い出した金額と枚数、及び、残高を記憶し、且つ、プリント、表示、又は、外部通信装置によってこれ等釣銭払い出しの状況を正確に出力して、集計管理することを可能にする。
【００１３】
（６）  また、本発明で請求項６に記載の如く、前記徴収金庫、又は、釣銭金庫から現金を取り出すに当って、これ等取り出し情報と一緒に入力された係員のＩＤを記憶し、且つ、これ等取り出し情報と係員のＩＤをプリント又は表示、或は、通信手段による外部機器への通信のいずれかの手段によって出力するように構成したので、各金庫から現金を取り出すに当って、現金を取り出した係員等のＩＤを取り出し情報と一緒に出力するため、現金取り出しの責任の所在を明らかにすることを可能にする。
【００１４】
（７）  更に、本発明では請求項７に記載の如く、前記自動料金精算機が、駐車場に車両を入庫する時に発行された駐車券から駐車料金を算出し、且つ、この駐車料金の精算に用いる駐車場用自動料金精算機であり、また、前記釣銭補充用コードを記録したカードの挿入口が、この精算機に設けた上記駐車券の挿入口であり、前記料金投入口が、上記駐車料金の投入口であるため、本発明に係る自動料金精算機を有料駐車場に設置することによって、支払われた駐車料金と釣銭を管理しつつ、駐車料金を自動的に精算して集計管理することを可能にする。
【００１５】
【発明の実施の形態】
以下に、本発明に係る自動料金精算機の実施の形態を図面と共に説明すると、図１は本発明の一例である駐車料金精算機の外観を説明した正面図で、図中、１は精算機本体、符号２で全体的に示したのは本体１の操作パネル板、３は料金やその他のメッセージ類を表示する表示器、４は図２５の（Ａ）図に示した駐車券ＣＸ用のカード挿入口、５と６は駐車料金支払用の紙幣と硬貨の各投入口、７Ａ，７Ｂは釣銭用の紙幣と硬貨の各払い出し口であって、上記の駐車券挿入口４が図２５の（Ｂ）図に示した釣銭補充用カードＣＴの挿入口として兼用され、また、上記駐車料金支払用の硬貨投入口６が釣銭補充時の硬貨投入口として兼用され、更に、上記釣銭用の硬貨払い出し口７Ｂが、インベントリ用の硬貨払い出し口として兼用される仕組に成っている。
【００１６】
また、図１５並びに図１８に示すように、上記精算機本体１の側面の扉１Ａを開くと、その内部１Ｂには５００円、１００円、５０円、１０円用の各硬貨釣銭金庫２３Ａ，２３Ｂ，２３Ｃ，２３Ｄが、夫々引出し自在なトレー１Ｔ，１Ｔに載置された状態で収納され、更に、この内部１Ｂには、図１５、図１８では省略されているが図２に示した売上金を入金するための紙幣用と硬貨用の各徴収金庫２０，２１と、紙幣の釣銭を払い出すための紙幣払出機２２（以下紙幣釣銭金庫と言う）と、図１４、図１７、図２３並びに図２６に示すように、データ入力用のキーボード１７Ｘと入力装置画面１７Ｙとを備えた入力装置１７が設けられている。
【００１７】
図２は、上記本発明に係る自動料金精算機の電気的構成を説明したブロック図で、制御部の中心を成すＣＰＵ１１とメモリ１０との間を結ぶバス１２に接続したインターフエイス１３には、上述した表示器３と入力装置１７のキーボード１７Ｘ、入力装置画面１７Ｙと、夫々カウンターＴ１，Ｔ２，Ｔ３，Ｔ４，Ｔ５，Ｔ６，Ｔ７を備えた上記各金庫２２，２０，２３Ａ，２３Ｂ，２３Ｃ，２３Ｄ，２１が接続されていて、売上金と釣銭の入出金の状態をその都度カウンターＴ１〜Ｔ７がカウント（加減算）して、各入出金の金額と各金庫収納金額（各金種の保有枚数）を上記メモリ１０に記憶する仕組に成っている。
【００１８】
更に上記のインターフエイス１３には、投入された硬貨を金種別に区分けして上記の硬貨徴収金庫２１に送り込むコインセレクタ６Ｓと、カード投入口４から挿入されて来る駐車券ＣＸや釣銭補充用カードＣＴ等に記録されている情報を読取るカードリーダ４Ｓと、メモリ１０に記憶されている紙幣釣銭金庫２２や各徴収金庫２０，２１が保有する収納金額や、各硬貨釣銭金庫２３Ａ〜２３Ｄに補充した釣銭補充金額、釣銭の補充情報と一緒に入力された係員のＩＤ、各硬貨釣銭金庫２３Ａ〜２３Ｄからインベントリした時の金種と枚数（金額）、及び、各釣銭金庫の残高、或は、各金庫２０，２１，２３Ａ〜２３Ｄから現金を取り出す場合に、これ等取り出し情報と一緒に入力された係員のＩＤ、と言った各種の情報を印字出力するプリンタ１８や、通信手段によってこれ等の情報が通知される外部機器１６が接続されており、また、これ等の各情報は上記表示器３にも表示される仕組に成っている。
【００１９】
また、上記のインターフエイス１３には、上記各金庫２０，２１，２２，２３Ａ〜２３Ｄの満杯状態や釣銭切れ等を外部監視盤等１５に知らせるＩ／Ｏ信号端子１４も接続されていて、夫々がメモリ１０に格納されているシステムプログラムに従って制御作動される仕組に成っている。
【００２０】
次に本発明の動作を図３乃至図１０に記載したフローチャートに従って説明すると、図３は本発明の精算待機時の処理手段を説明したフローチャートで、始めのステップＳ１でカード投入口４に投入されたカードが駐車券ＣＸ（図２５Ａ図）であるか否かが判定され、駐車券ＣＸである場合は駐車料金算出（ステップＳ２）、駐車料金表示（ステップＳ３）の各処理を行った後、ステップＳ４で図４、図５の精算フローへ進むが、ステップＳ１で駐車券ＣＸでないと判断された場合は、ステップＳ５に進む。
【００２１】
ステップＳ５では、釣銭補充カードＣＴ（図２５Ｂ図）の挿入であるか否かが判定され、ＹＥＳの場合はステップＳ６に進んで図１１に示した釣銭補充と金庫枚数の情報３Ａを表示器３に表示し、次いで、ステップＳ７に進んで入力装置１７を図１４に示した金銭管理１７Ａの状態に設定して、次のステップＳ８に進む。尚、図１４でＣＳはカーソルで、１０００円を４２枚入力した状態を示す。
【００２２】
ステップＳ８では、金庫交換か否かが判定され、ＹＥＳの場合はステップＳ１８に進み、ＮＯの場合はステップＳ９に進んで釣銭補充か否かが判定され、ＮＯの場合はステップＳ１２に進んで図１０に示したインベントリ処理フローへ続き、ＹＥＳの場合はステップＳ１０に進んで投入口６から釣銭硬貨を投入するか否かが判定される。
【００２３】
ステップＳ１０でＹＥＳの場合は、ステップＳ１１に進んで図６に示した釣銭補充フローへ進むが、ＮＯの場合はステップＳ１３に進んで釣銭補充は硬貨か否かが判定され、ＹＥＳの場合はステップＳ１４に進んで図７に示したマニュアル補充フローへ続き、ＮＯの場合はステップＳ１５に進んで図９に示した紙幣補充フローへ進む。
【００２４】
また、前述したステップＳ５でＮＯと判定された場合は、カード排出（ステップＳ１６）、「このカードは使用できません」「駐車券を先に挿入して下さい」等の警告文表示（ステップＳ１７）の各処理を行って始めのステップＳ１に戻り、更に、前述したステップＳ８でＹＥＳ（金庫交換）と判定した場合は、金庫引き抜く（ステップＳ１８）→検知器ＯＮ（ステップＳ１９）→引き抜いた金庫の収納金額をメモリ１０に記憶（ステップＳ２０）→図１２に示すような精算機金銭情報３Ｂの表示（ステップＳ２１）→図２１並びに図２２に示すような引き抜いた金庫の金銭情報Ｐ５，Ｐ６の印字出力（ステップＳ２２）→外部機器１６に図１２に示すような精算機金銭情報３Ｂを出力（ステップＳ２３）→メモリ１０の釣銭金庫データクリア（ステップＳ２４）の各処理を行った後、ステップＳ２５に進んで図８の金庫補充フローへ続く。
【００２５】
次に、図４と図５は上記図３のステップＳ４から続く精算処理の手順を説明したフローチャートであって、始めのステップＳ３０で硬貨が入金されたか否かが判定され、ＹＥＳの場合はステップＳ３１でコインセレクタ６Ｓによる硬貨の分別が行われ、次いで、ステップＳ３２に進んで入金した硬貨の釣銭金庫が存在するか否か、また、入金する空きがあるか否かが判定され、ＹＥＳの場合は次のステップＳ３３に進んで硬貨釣銭金庫２３Ａ〜２３Ｄのいずれかに硬貨を入金と、釣銭金庫枚数計数の各処理を行った後、ステップＳ３４に進んで硬貨釣銭金庫２３Ａ〜２３Ｄが満杯になったか否かが判定され、ＹＥＳの場合は次のステップＳ３５で硬貨釣銭金庫満杯信号を出力した後、ステップＳ４３に進むが、ＮＯの場合は直接ステップＳ４３に進む。
【００２６】
また、前述したステップＳ３２でＮＯと判定された場合は、硬貨用の徴収金庫２１に硬貨を入金し、且つ、当該金庫２１の硬貨枚数を計数した後、次のステップＳ３７に進んで硬貨徴収金庫２１が満杯になったか否かが判定され、ＹＥＳの場合は硬貨徴収金庫満杯信号を出力した後、ステップＳ４３に進むが、ＮＯの場合は直接ステップＳ４３に進む。
【００２７】
尚、前述した始めのステップＳ３０でＮＯ（硬貨入金ではない）と判定された場合は、ステップＳ３９に進んで紙幣入金であるか否かが判定され、ＹＥＳの場合は紙幣徴収金庫２０に紙幣を入金し、且つ、この入金枚数を計数した後、ステップＳ４０に進んで紙幣徴収金庫２０が満杯であるか否かが判定され、ＹＥＳの場合はステップＳ４２で紙幣徴収金庫満杯信号を出力した後、ステップＳ４３に進むが、ステップＳ４１でＮＯの場合、並びに、前記ステップＳ３９でＮＯの場合は、直接ステップＳ４３に進む。
【００２８】
ステップＳ４３では残金が０円であるか否かが判定され、ＮＯの場合は前述した始めのステップＳ３０に戻り、ＹＥＳの場合は図５に示したステップＳ４４に進んで釣銭の払出が必要か否かが判定され、ＹＥＳの場合はステップＳ４５に進んで硬貨釣銭金庫２３Ａ〜２３Ｄ、又は、紙幣釣銭金庫２２から、各払出口７Ｂ，７Ａに向けて釣銭を払い出し、次いで、ステップＳ４６に進んで釣銭金庫２３Ａ〜２３Ｄ、紙幣釣銭金庫２２の釣銭切れ信号処理を行った後、ステップＳ４７に進む。
【００２９】
ステップＳ４７では、払い出した釣銭が不足していないか否かが判定され、ＹＥＳ（不足）の場合はステップＳ４８で預り証を発行し、次いで、ステップＳ４９に進んで釣銭金庫枚数を計数し、その後、ステップＳ５０に進んで外部機器１６に図１２に示すような釣銭金庫２２，２３Ａ〜２３Ｄの枚数と、徴収金庫２０，２１の枚数情報３Ｂを通知して処理を終えるが、前述したステップＳ４４とＳ４７でいずれもＮＯの場合は、そのまま上記のステップＳ４９に進んで処理を行う。
【００３０】
尚、上述した本発明の精算処理の手順を説明したフローチャートのうち、図４に示したステップＳ３０〜Ｓ４３の処理は入金処理で、図５のステップＳ４４〜Ｓ５０の処理は出金処理を示したものである。
【００３１】
次に、図６は図３に示したフローチャートのステップＳ１１に続いて処理される係員が硬貨投入口６から硬貨を投入して補充する釣銭補充の処理手順を説明したフローチャートで、投入口６に投入された硬貨はコインセレクタ６Ｓに選択されて各金庫２３Ａ〜２３Ｄに搬送され、自動的に保有枚数の更新が行われる。即ち駐車券挿入口４に挿入された釣銭補充用カードＣＴをカードリーダ４Ｓが読取ると、自動的に硬貨補充モードとなり、この状態になると表示器３に図１２の３Ｂに示すように各金庫の保有枚数が表示される。
【００３２】
次いで、始めのステップＳ５１で硬貨の入金（投入）であるか否かが判定され、ＹＥＳの場合は次のステップＳ５２に進んで入金された硬貨の釣銭金庫（２３Ａ〜２３Ｄのいずれか）があり、且つ、空きがあるか否かが判定され、ＹＥＳの場合はステップＳ５３に進んで釣銭金庫２３Ａ〜２３Ｄに硬貨を入金し、当該金庫の硬貨枚数を計数した後、ステップＳ５６に進むが、上記ステップＳ５２でＮＯの場合（金庫及び空きなしの場合）は、ステップＳ５４に進んで硬貨釣銭金庫が満杯時は硬貨徴収金庫２１に収納するか否かが判定され、ＹＥＳの場合はステップＳ５５に進んで硬貨徴収金庫２１に補充硬貨を入金し、且つ、当該金庫２１の硬貨枚数を計数した後、ステップＳ５６に進む。また、上記のステップＳ５４でＮＯと判定された場合は硬貨払出口７Ｂに補充硬貨を返却してステップＳ５８に進む。
【００３３】
上記のステップＳ５６では、硬貨釣銭金庫２３Ａ〜２３Ｄ、或は、紙幣釣銭金庫２２の釣銭が切れたか否かが判定され、ＹＥＳの場合、即ち、各金庫のうち１つでも釣銭が切れている場合は、ステップＳ５７に進んで釣銭切れ信号を出力してステップＳ５８に進むが、上記のステップＳ５６でＮＯ（釣銭切れなし）と判定された場合は、そのままステップＳ５８に進む。
【００３４】
ステップＳ５８では、釣銭の補充が完了したか否かが判定され、ＮＯの場合は前述したステップＳ５１に戻って処理を繰返すが、ＹＥＳの場合はステップＳ６０に進んで表示器３に図１１に示すように各金庫２１〜２３Ｄの現在枚数と釣銭補充枚数情報３Ａを表示し、更に、ステップＳ６１に進んで外部機器１６に対して図１２に示したように各釣銭金庫２２，２３Ａ〜２３Ｄに於ける各釣銭の保有枚数（収納枚数）情報３Ｂを通知し、次いで、ステップＳ６２に進んでプリンタ１８に釣銭の補充内容を図１３のＰ１に示すように印字出力させた後、ステップＳ６３に進んで表示器３の表示を図２７に示した待機画面に戻して処理を終える。
【００３５】
図７は、図３のフローチャートに示したステップＳ１４に続いて処理される硬貨釣銭マニュアル補充の処理手順を説明したフローチャートであって、補充に当っては先ず図１５に示すように扉１Ａを開けて、金庫自体を引出すことなく各硬貨釣銭金庫２３Ａ〜２３Ｄに対して直接硬貨ＫＡを投入して補充するものであって、始めのステップＳ７０で硬貨の補充を受けると、図１１に示したような硬貨釣銭金庫保有枚数情報３Ａが表示器３に表示され、次いで、ステップＳ７１に進んで図１４に示すように入力装置１７のキーボード１７Ｘを用いて補充したい釣銭の枚数を入力することにより、保有枚数を設定可能にして次のステップＳ７２に進む。
【００３６】
ステップＳ７２では硬貨釣銭の補充が終了したか否かが判定され、ＮＯの場合はステップＳ７０に戻って処理を繰返すが、ＹＥＳの場合は、外部機器１６に対して図１２に示すような各硬貨釣銭金庫２３Ａ〜２３Ｄ毎の釣銭情報３Ｂの通知処理（ステップＳ７３）→プリンタ１８による図１３に示すような補充内容Ｐ１の印字出力処理（ステップＳ７４）→表示器３の表示内容を図１１に示した内容３Ａに更新した後、図２７の待機画面に戻す処理（ステップＳ７５）を順番に行って、処理を終える。
【００３７】
図８は、図３に示したフローチャートのステップＳ２５に続く硬貨釣銭金庫交換による硬貨釣銭のマニュアル補充に関する処理手順を説明したフローチャートであって、この補充方法の場合は、図１８に示すように予め初期値の数量の硬貨をセットしておいた硬貨釣銭金庫２３Ａ′と、使用中の硬貨釣銭金庫（図面では２３Ａ）とを金庫ごと交換することによって、釣銭硬貨の補充を行うもので、この方法によると、新しい硬貨釣銭金庫２３Ａ′と交換した時点で自動的に硬貨釣銭金庫の硬貨保有枚数を設定値に変更でき、硬貨枚数の保有数変更の手間を省くことができる。
【００３８】
即ち、始めのステップＳ７６で図１８に示すように、扉１Ａを開いて硬貨釣銭金庫を新たな金庫２３Ａ′と交換すると、次のステップＳ７７に進んで交換した硬貨釣銭金庫の初期値が入力されて、ステップＳ７８に進む。尚、金庫ごと交換する場合は、図１７に示す入力装置１７のキーボード１７Ｘを操作して表１７Ｂから各金種を選択した後、「初期値」をＯＮすることによって、設定してある数量を入力することができる。
【００３９】
ステップＳ７８では補充が完了したか否かが判定され、ＹＥＳの場合は図１２に示すような金銭情報３Ｂを外部機器１６に通知する処理（ステップＳ７９）→プリンタ１８による図１３に示すような釣銭補充内容Ｐ１の印字処理（ステップＳ８０）→表示器３の表示を図１１の状態から図２７に示す待機画面に戻す処理（ステップＳ８１）を行って、補充処理を終える。
【００４０】
図９は、図３に示したフローチャートのステップＳ１５に続く紙幣釣銭金庫２２に対し紙幣釣銭補充に関する処理手順を説明したフローチャートであって、ステップＳ８３〜ステップＳ８９までの処理手順は、図７に示した硬貨補充用のステップＳ７０〜ステップＳ７５の手順と殆ど同一であるため、その説明を省略する。尚、図２０に示した紙幣払出機合計情報Ｐ４は、上記ステップＳ８８の処理に於けるプリント例を示したものである。
【００４１】
以上述べたように、釣銭の補充には、（１）硬貨投入口６からの投入補充、（２）各釣銭金庫に対するマニュアル補充、（３）金庫ごとの交換による補充、の３通りの方法があるが、いずれの方法を選択するかは任意である。また、前述した釣銭補充用カードＣＴに図２５の（Ｂ）図に示すように係員のＩＤコードを予め書き込んでおくことにより、釣銭の補充を誰が行ったかを夫々補充用の表示画面に例えば図１１、図１２の如く係員の係員のＩＤコードを一緒に表示したり、或は、プリンタ１８による印刷物に例えば図１３、図１６、図１９、図２０、図２１、図２２並びに図２４の如く上記のＩＤコードを一緒に印刷することによって、責任の所在を明らかにすることができる。
【００４２】
次に、図１０は前述した図３に示すフローチャートのステップＳ１２に続くインベントリ処理の手順、即ち、硬貨釣銭金庫２３Ａ〜２３Ｄに収納されている硬貨の回収を行う際に、釣銭払出口７Ｂに払い出す処理手順を示したものであって、始めのステップＳ９０で入力装置１７のメニューが面から図２６に示すインベントリメニュー１７Ｍを選択すると、次のステップＳ９１に進んで図２３に示すようなインベントリの表示１７Ｃが画面表示される。次いで、ステップＳ９２に進んでキーボード１７Ｘを用いて各金種のインベントリ枚数を入力すると、ステップＳ９３に進んで搬送装置（図示省略）が指定枚数（図２３の場合は５００円１枚）を釣銭払出口７Ｂに払い出し、その後、ステップＳ９４に進んで釣銭金庫から釣銭切れ信号が発せられると、ステップＳ９５に進んでインベントリを終了するか否かが判定され、ＹＥＳの場合は、図１２に示すような金銭情報（各金庫の保有状態）を外部機器１６に通知する処理（ステップＳ９６）→図２４に示すインベントリ内容Ｐ７の印字出力処理（ステップＳＳ９７）→表示器３の表示を図２７の待機画面に戻す処理（ステップＳＳ９８）を行って、処理を終える。
【００４３】
以上の様にして各金庫２０，２１、或は、２２，２３Ａ〜２３Ｄに溜った（残った）金銭を回収する場合は、図１５或は図１８に示すように本体１の扉１Ａを開いてトレー１Ｔから各金庫を抜き取ることによって行うが、抜き取りが検知装置（図示省略）によって検知されると、上記各金庫２０〜２３Ｄの収納金額がメモリ１０から呼出されて、どの金庫にどの金種が何枚保有されているかを自動的に集計し、これを図２１並びに図２２に示すように硬貨別及び紙幣別にプリンタ１８に印字出力Ｐ５，Ｐ６させると共に、これ等の集計情報を図１２に示す表示例３Ｂと同じ形態で表示器３に表示し、更に、釣銭の補充と同様に外部機器１６に対しても通知して、いくらの金額が入った金庫を回収したのかを明らかにする。また、集計情報を図２１、図２２の如く印字出力した場合は、全ての金庫データがリセット（初期化）される。
【００４４】
【発明の効果】
本発明に係る自動料金精算機は以上の如くであって、各金庫の収納金額及び集計情報を、印字出力或は表示したり、更には管理者等の管理下にある外部機器に伝達できるため、係員等は回収金額をいちいち数える必要がなく、これを正確に把握できると共に、釣銭の支払いやその補充も入力操作を行うことなく全て自動的に集計管理できるため、料金精算機の入金と出金に関する事務作業及び管理作業を合理化できる利点を発揮できるものであって、係員ＩＤを登録した釣銭補充用カードの使用によって、釣銭の補充及びインベントリに関する責任の所在を明確にできる点と相俟って、有料駐車場を始めとする各種有料施設や、販売機等に使用する料金精算機に実施して、洵に好適なものである。
【図面の簡単な説明】
【図１】  本発明に係る自動料金精算機の正面図である。
【図２】  本発明の電気的構成を説明したブロック図である。
【図３】  本発明の精算待機時の処理手順を説明したフローチャートである。
【図４】  本発明の精算処理の手順を説明したフローチャートである。
【図５】  図４に示したフローチャートの続きを説明したフローチャートである。
【図６】  本発明の釣銭補充の処理手順を説明したフローチャートである。
【図７】  釣銭を直接金庫に投入して補充する処理手順を説明したフローチャートである
。
【図８】  釣銭を金庫ごと交換して補充する処理手順を説明したフローチャートである。
【図９】  紙幣の釣銭を補充する処理手順を説明したフローチャートである。
【図１０】  本発明のインベントリ処理の手順を説明したフローチャートである。
【図１１】  精算機での各金庫に於ける釣銭の補充枚数と保有枚数を表示した表示画面例である。
【図１２】  外部機器での各金庫の保有枚数を表示した表示画面例である。
【図１３】  硬貨挿入口から釣銭を補充した場合の補充内容を示したプリント例の正面図である。
【図１４】  マニュアルで釣銭を金庫に直接補充する場合の入力装置の状態を説明した斜視図である。
【図１５】  釣銭を金庫にマニュアルで補充している状態を説明した斜視図である。
【図１６】  マニュアルによって補充された釣銭の補充内容を示したプリント例の正面図である。
【図１７】  金庫ごと交換して釣銭の補充を行う場合の入力装置の状態を説明した斜視図である。
【図１８】  金庫ごと交換して釣銭を補充している状態を示した斜視図である。
【図１９】  金庫ごと交換した釣銭の補充内容を示したプリント例の正面図である。
【図２０】  紙幣の釣銭を金庫に補充した補充内容を示したプリント例の正面図である。
【図２１】  金庫に溜っている金銭を回収する場合の硬貨の回収内容を示したプリント例の正面図である。
【図２２】  金庫に溜っている金銭を回収する場合の紙幣の回収内容を示したプリント例の正面図である。
【図２３】  金庫に溜っている硬貨を釣銭払出口から回収するインベントリの場合の入力装置の状態を説明した斜視図である。
【図２４】  インベントリの内容を示したプリント例の正面図である。
【図２５】  （Ａ）図は駐車券の正面図、（Ｂ）図は釣銭補充用カードの正面図である。
【図２６】  メニュー画面が表示されている入力装置の斜視図である。
【図２７】  表示器の待機画面を示した正面図である。
【符号の説明】
１              精算機本体
３              表示器
４              カード挿入口
４Ｓ            カードリーダ
５              紙幣投入口
６              硬貨投入口
６Ｓ            コインセレクタ
７Ａ            紙幣払い出し口
７Ｂ            硬貨払い出し口
１０            メモリ
１６            外部機器
１７            入力装置
１８            プリンタ
２０            紙幣徴収金庫
２１            硬貨徴収金庫
２２            紙幣払出機（紙幣釣銭金庫）
２３Ａ〜２３Ｄ            硬貨釣銭金庫
【図１】
0003899220.tif 000002
【図２】
0003899220.tif 000003
【図３】
0003899220.tif 000004
【図４】
0003899220.tif 000005
【図５】
0003899220.tif 000006
【図６】
0003899220.tif 000007
【図７】
0003899220.tif 000008
【図８】
0003899220.tif 000009
【図９】
0003899220.tif 000010
【図１０】
0003899220.tif 000011
【図１１】
0003899220.tif 000012
【図１２】
0003899220.tif 000013
【図１３】
0003899220.tif 000014
【図１４】
0003899220.tif 000015
【図１５】
0003899220.tif 000016
【図１６】
0003899220.tif 000017
【図１７】
0003899220.tif 000018
【図１８】
0003899220.tif 000019
【図１９】
0003899220.tif 000020
【図２０】
0003899220.tif 000021
【図２１】
0003899220.tif 000022
【図２２】
0003899220.tif 000023
【図２３】
0003899220.tif 000024
【図２４】
0003899220.tif 000025
【図２５】
0003899220.tif 000026
【図２６】
0003899220.tif 000027
【図２７】
0003899220.tif 000028